(57)【要約】【課題】被発光基材に担持された蛍光色素の発光溶液への溶け出しを防止することで、被発光基材が発光溶液に接触した際の被発光基材そのものの発光を観客に訴えて、演出効果の増大を図ることが可能な化学発光を伴う演出方法ならびに化学発光を伴う演出物を提供する。【解決手段】触媒成分と水溶性蛍光色素とを担持させた被発光基材に、シュウ酸誘導体を含有した液体と酸化液とを含む発光溶液を接触させる。被発光基材に担持された蛍光色素が水溶性であるので、被発光基材に発光溶液を接触させても、被発光基材に担持された蛍光色素が発光溶液中に溶け出すことを防止することができる。【選択図】なし【特許請求の範囲】
【請求項１】
触媒成分と水溶性蛍光色素とを担持する被発光基材に、シュウ酸誘導体を含有した液体と酸化液とを含む発光溶液を接触させることを特徴とする化学発光を伴う演出方法。
【請求項２】
前記被発光基材は、水溶性蛍光色素を担持する基材に、触媒成分を担持させたものであることを特徴とする請求項１記載の化学発光を伴う演出方法。
【請求項３】
触媒成分と水溶性蛍光色素とを担持する被発光基材により形成され、前記被発光基材がシュウ酸誘導体を含有した液体と酸化液とを含む発光溶液と接触することにより発光することを特徴とする化学発光を伴う演出物。
【請求項４】
前記被発光基材は、水溶性蛍光色素を担持する基材に、触媒成分を担持させたものである請求項３記載の化学発光を伴う演出物。
【発明の詳細な説明】
【技術分野】
【０００１】
本発明は、基材を化学発光させて演出を行う化学発光を伴う演出方法ならびに化学発光を伴う演出物に関する。
【背景技術】
【０００２】
宴会やパーティー、結婚披露宴や葬祭などの各種イベント等を盛り上げる演出の方法の１つとして、特許文献１には、過シュウ酸エステル化学発光を利用し、触媒成分を担持させた被発光基材に、予め調整したシュウ酸エステルと蛍光色素と過酸化水素とを含有する溶液を接触させて化学発光を行ったり、蛍光色素を担持させた被発光基材に、シュウ酸エステルと触媒成分と過酸化水素とを含有する溶液を接触させて化学発光を行ったりする方法が記載されている。
【０００３】
また、特許文献２には、触媒成分および蛍光色素を担持させた被発光基材に、シュウ酸エステルと過酸化水素と有機強酸とを含有する発光溶液を接触させて化学発光を行う方法が記載されている。この特許文献２では、例えば、触媒成分としてサリチル酸ナトリウムと、蛍光色素として９，１０−ビス−（４−メトキシフェニル）−２−クロロアントラセンとを含有するメタノール溶液を調製し、これを基材に担持させて被発光基材とし、フタル酸ジメチルならびに第３ブタノールからなる溶媒に、シュウ酸エステルとしてのビス（２，４，５−トリクロロ−６−カルボキシフェニルオキザレート）を溶解させた発光溶液を前述した被発光基材に接触させると、被発光基材が青色に発光することが記載されている。
【０００４】
【特許文献１】特開２００２−１３８２７８号公報
【特許文献２】特開２００５−１４６０３３号公報
【発明の開示】
【発明が解決しようとする課題】
【０００５】
ところで、化学発光を用いた演出方法において、演出効果を増大させるためには発光した瞬間のインパクトを高めることが重要である。すなわち、被発光基材と発光溶液が接触した際に、できるだけ被発光基材そのものの発光を観客の視覚に訴えかけるようにすることが望ましい。
【０００６】
しかしながら、特許文献２に記載された化学発光方法を用いると、触媒成分ならびに蛍光色素を担持させた被発光基材を発光溶液に接触させた際に、被発光基材に担持された蛍光色素が発光溶液に溶け出して発光溶液を着色してしまい、被発光基材そのものの発光が、この着色された発光溶液によって目立たなくなってしまい、被発光基材の発光のインパクトを弱めてしまうという問題がある。
【０００７】
そこで本発明は、被発光基材に担持された蛍光色素の発光溶液への溶け出しを防止することで、被発光基材が発光溶液に接触した際の被発光基材そのものの発光を観客に訴えて、演出効果の増大を図ることが可能な化学発光を伴う演出方法ならびに化学発光を伴う演出物を提供することを目的とする。
【課題を解決するための手段】
【０００８】
上記課題を解決するため、本発明者が鋭意研究を重ねた結果、発光溶液への蛍光色素の溶け出しを防止するためには、被発光基材が担持している蛍光色素の溶解性が重要であることを見出し、本発明に至った。
【０００９】
すなわち、本発明の化学発光を伴う演出方法は、基材に触媒成分と水溶性蛍光色素とを担持する被発光基材に、シュウ酸誘導体を含有した液体と酸化液とを含む発光溶液を接触させることを特徴とする。
【００１０】
また、本発明の化学発光を伴う演出物は、触媒成分と水溶性蛍光色素とを担持する被発光基材により形成され、被発光基材がシュウ酸誘導体を含有した液体と酸化液とを含む発光溶液と接触することにより発光することを特徴とする。
【００１１】
シュウ酸エステルやクエン酸エステル等のシュウ酸誘導体を含有した液体ならびに酸化液は、通常、非水溶性の液体であることから、基材が担持している蛍光色素を水溶性の蛍光色素とすることにより、被発光基材にシュウ酸誘導体を含有した液体と酸化液とを含む発光溶液を接触させても、被発光基材に担持された蛍光色素が発光溶液中に溶け出すことを防止することができる。本発明における蛍光色素は水溶性であれば、どのようなものを用いてもよい。
【００１２】
例えば、従来の化学発光方法を用いた場合、複数の被発光基材が、それぞれ異なる発光色を示す蛍光色素を担持していると、これらの被発光基材を同じ容器に入れて発光溶液に接触させた際に、それぞれの被発光基材から異なる色の蛍光色素が発光溶液中に溶け出し、発光溶液は単に蛍光色素に着色されるだけでなく非常に濁った状態となってしまう。この場合、被発光基材そのものの発光のインパクトが弱まるだけでなく、観客に対して不快感を与えるおそれもあり、効果的な演出を図ることはできない。
【００１３】
しかしながら、本発明の場合、被発光基材が水溶性の蛍光色素を担持しているので、複数の被発光基材が、それぞれ異なる発光色を示す水溶性蛍光色素を担持し、これらの被発光基材を同じ容器に入れて発光溶液に接触させても、蛍光色素が発光溶液中に溶け出すことが防止されるので、被発光基材がそれぞれの発光色に発光する際に、被発光基材そのものの発光を観客に訴えるとともに、それぞれの発光色を明確に観客に印象づけることができる。従って、本発明によれば、異なる発光色を有する被発光基材を同じ容器内で同時に使用することができ、効果的な演出を図るとともに演出の幅を広げることもできる。
【発明の効果】
【００１４】
本発明によれば、被発光基材が担持している蛍光色素が水溶性であるので、被発光基材に発光溶液を接触させても、被発光基材に担持された蛍光色素が発光溶液中に溶け出すことを防止することができ、被発光基材そのものの発光を観客に訴えて、宴会やパーティー、結婚披露宴や葬祭などの各種イベント等における演出効果の増大を図ることができる。
【００１５】
また、水溶性の蛍光色素を用いることにより、蛍光色素を溶かすための溶媒を水とすることができるので、有機溶媒を用いるよりも取り扱いや廃棄処理が容易であり、水溶性蛍光色素を基材に担持させる際の作業性を向上させることができる。さらに、水溶性蛍光色素は、非水溶性の蛍光色素と比較すると紫外線に対する安定性が高いので、水溶性蛍光色素を担持させた被発光基材を遮蔽することなく保存することができ、被発光基材の取り扱いを容易とすることができる。また、水溶性蛍光色素は、非水溶性の蛍光色素よりも安価に入手することができ、被発光基材の製造コストを抑えることもできる。
【発明を実施するための最良の形態】
【００１６】
以下、本発明の実施の形態における化学発光を伴う演出方法について説明する。
本実施の形態における化学発光を伴う演出方法は、基材に、触媒成分と水溶性蛍光色素とを担持させて被発光基材とするか、もしくは、水溶性蛍光色素を担持する基材に、触媒成分を担持させて被発光基材し、この被発光基材に、シュウ酸誘導体を含有した液体と酸化液とを含む発光溶液を接触させることを特徴とする。本実施の形態における化学発光は、過シュウ酸エステル化学発光を用いたものである。
【００１７】
本実施の形態において、基材としては、不織布，織布，紙，ガラスやプラスチックまたは金属のシート等を用いることができる。また、水溶性蛍光色素が予め担持されている不織布，織布，紙，ガラスやプラスチックまたは金属のシート等を基材として用いることができる。一般的に、増白作用や、暗所での視認性を高めるための光反射作用を得るために、不織布，織布，紙などの基材には水溶性蛍光色素がすでに担持されているものが多い。そこで、これらを本実施の形態における基材として用いることで、水溶性蛍光色素を担持させる工程を省略することができ、作業の簡略化を図ることができる。
【００１８】
また、上記基材をそのまま用いる他に、基材を加圧もしくは加熱することによりある形状に変形させて復元力を有するようにし、液体に触れることで粘着性が弱まるテープや糊などで先の形状とは別の形状となるように仮固定したものを使用することができる。さらに、上記基材の内側に形状記憶合金等を貼り付けたり、液体に触れたり熱が加わったりすることにより形状が変化する基材のなかから、膨張率や収縮率の異なるものを複数用意し、それらを２つ以上貼り合わせたりすることによって、液体に接触または加熱に伴い形状が変化する基材として使用することもできる。この場合、後述する方法で上記基材に触媒成分と水溶性蛍光色素とを担持させるか、もしくは、水溶性蛍光色素を担持する上記基材に触媒成分を担持させて被発光基材とし、この被発光基材をバラの花のつぼみを模した形状等に形成することで、発光溶液に接触した際に、被発光基材が発光しながら動いて花が開くような演出を行うことができ、発光した瞬間だけでなく、しばらくの間、観客を惹きつけて楽しませることができ、演出効果の増大を図ることもできる。
【００１９】
次に、基材に触媒成分と水溶性蛍光色素とを担持させる方法について説明する。触媒成分と水溶性蛍光色素とは、それぞれ適量水に溶かした状態で別々に基材に含浸させてもよいし、触媒成分と水溶性蛍光色素を適量水に溶かして着色溶液とし、これを基材に含浸させてもよい。含浸させる方法としては、基材に筆やスプレーなどで塗布したり、着色溶液の中に基材を浸けたりするなどの方法を用いることができる。基材に着色溶液を含浸させたら、十分に乾燥させて被発光基材とする。
【００２０】
また、水溶性蛍光色素を担持する基材には、触媒成分を適量水に溶かした水溶液を筆やスプレーなどで塗布したり、水溶液の中に浸けたりするなどして触媒成分を含浸させるとよい。
【００２１】
ここで、用いる触媒成分としては、サリチル酸リチウム、５−ｔ−ブチルサリチル酸リチウム、サリチル酸ナトリウム、サリチル酸テトラアルキルアンモニウム塩、２−クロロ安息香酸リチウム、酢酸ルビジウム等のサリチル酸およびその誘導体、安息香酸およびその誘導体または酢酸の金属塩またはアンモニウム塩などを用いることができる。
【００２２】
次に、本実施の形態における発光溶液の調製方法について説明する。
本実施の形態における発光溶液の調製方法は特に限定されるものではなく、シュウ酸誘導体を含有する液体、ならびに酸化液を任意の方法で混合して用いることができる。シュウ酸誘導体とは、シュウ酸エステルやクエン酸エステル等を言い、シュウ酸エステルとしては、例えば、ビス（２，４，５−トリクロロ−６−カルボブトキシフェニルオキザレート）等が挙げられる。また、酸化液としては、過酸化水素等を用いることができ、これらについては必要に応じて溶媒を使用してもよい。溶媒としては、フタル酸ジメチル、フタル酸ジブチル等のフタル酸エステルが挙げられる。本実施の形態における発光溶液は、透明に近いうすい青色を呈している。
【００２３】
次に、本実施の形態における化学発光を伴う演出方法についてさらに詳細に説明する。
上述した方法により触媒成分ならびに水溶性蛍光色素が担持された被発光基材を、例えば、発光溶液が入った透明容器に入れ、被発光基材を発光溶液に接触させる。被発光基材は十分に乾燥した状態であるので、発光溶液が被発光基材に順次浸透していき、それに伴い、被発光基材に担持された触媒成分と水溶性蛍光色素と発光溶液とが反応して、化学発光が始まる。
【００２４】
このとき、発光溶液が非水溶性の溶液であるのに対し、被発光基材に担持された蛍光色素が水溶性であるので、被発光基材から発光溶液への蛍光色素の溶け出しは起こらない。したがって、発光溶液はほぼ透明のままであり、被発光基材のみが、担持された水溶性蛍光色素の色に発光する。
【００２５】
ここで、被発光基材から発光溶液への蛍光色素の溶け出しが起こると、発光溶液が蛍光色素の色に着色されてしまい、たとえ被発光基材が化学発光を起こしても被発光基材そのものの発光が目立たなくなってしまい、被発光基材の発光のインパクトが弱まってしまうが、本実施の形態では、上述したように、被発光基材から発光溶液への蛍光色素の溶け出しは起こらないので、観客に、被発光基材そのものの発光を訴えることができ、観客の視線を被発光基材の発光に集中させることができる。
【００２６】
このように、本実施の形態では、水溶性の蛍光色素を用いることによって、被発光基材そのものの発光を観客に訴えることができ、宴会やパーティー、結婚披露宴や葬祭などの各種イベント等における演出効果の増大を図ることができる。
【産業上の利用可能性】
【００２７】
本発明によれば、被発光基材が発光溶液に接触した際の被発光基材そのものの発光を観客に訴えることができるので、演出効果の増大を図ることが可能な化学発光を伴う演出方法ならびに化学発光を伴う演出物として好適に用いることができる。